【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
遊技領域を流下する遊技球が入賞可能な第１入賞領域及び第２入賞領域と、
前記第１入賞領域又は前記第２入賞領域に遊技球が入賞したことに起因して当否判定を受けるための権利を発生させかつその当否判定権利に対応した乱数を取得する乱数取得手段と、
前記当否判定権利の前記乱数を用いて当否判定を行う当否判定手段と、
前記当否判定権利の発生に起因して前記当否判定の結果を報知する判定結果報知手段と、
前記第１入賞領域又は前記第２入賞領域への遊技球の入賞を起因にして前記当否判定権利を記憶可能な保留記憶手段と、
前記保留記憶手段に保留記憶されている前記当否判定権利の保留数を、保留ランプの点灯数により報知可能な保留数報知手段と、を備えた遊技機において、
遊技状態を、前記第２入賞領域よりも前記第１入賞領域へ入賞し易い第１の遊技状態と、前記第１入賞領域よりも前記第２入賞領域へ入賞し易い第２の遊技状態とに切り替える遊技状態切替手段を有し、
前記保留数報知手段は、前記第１入賞領域への入賞に起因する第１の前記保留数と、前記第２入賞領域への入賞に起因する第２の前記保留数とを共通の前記保留ランプで報知可能に構成され、
前記保留数報知手段による前記保留ランプの点灯数を、前記第１の遊技状態では前記第１の保留数に一致させる一方、前記遊技状態切替手段によって前記第１の遊技状態から前記第２の遊技状態に遊技状態が切り替えられた場合に、前記第２の保留数に一致させるように切り替える報知切替手段を備え、
前記第１の遊技状態において、前記第１入賞領域への入賞に起因した第１の前記当否判定権利と前記第２の入賞領域への入賞に起因した第２の前記当否判定権利とが保留記憶されている場合に、前記第１の保留数のうち前記第２の保留数と重複する数だけの前記保留数の報知態様を、前記第１の当否判定権利のみが保留記憶されているときの前記第１の保留数の報知態様と異ならせると共に、前記第２の遊技状態において、前記第１の当否判定権利と前記第２の当否判定権利とが保留記憶されている場合に、前記第２の保留数のうち前記第１の保留数と重複する数だけの前記保留数の報知態様を、前記第２の当否判定権利のみが保留記憶されているときの前記第２の保留数の報知態様と異ならせる重複報知手段が設けられたことを特徴とする遊技機。
【請求項２】
前記第１の保留数の報知態様と、前記第２の保留数の報知態様とを異ならせる報知態様変更手段を備えたことを特徴とする請求項１に記載の遊技機。
【請求項３】
前記報知態様変更手段は、前記第１の保留数を報知するときと、前記第２の保留数を報知するときとで、前記保留ランプの点灯態様を異ならせることを特徴とする請求項２に記載の遊技機。
【請求項４】
前記報知態様変更手段は、
前記第１と第２の遊技状態のうち何れか一方の遊技状態では、前記保留ランプの前方領域の外側に配置される一方、他方の遊技状態では、前記保留ランプの前方を覆う可動部材を備えて、
前記一方の遊技状態では、前記可動部材を通さずに前記保留ランプを視認可能にする一方、前記他方の遊技状態では、前記可動部材越しに前記保留ランプを視認可能にしたことを特徴とする請求項２又は３に記載の遊技機。
【請求項５】
前記報知態様変更手段に、前記第１の遊技状態で第１位置に配置される一方で、前記第２の遊技状態で第２位置に配置される可動部材を設けると共に、
前記可動部材に、前記第１位置に配置されたときに前記保留ランプの前方を覆う一方、第２位置に配置されたときに前記保留ランプの前方領域から外れた位置に配置される第１カバー部と、前記第１位置に配置されたときに前記保留ランプの前方領域から外れた位置に配置される一方、前記第２位置に配置されたときに前記保留ランプの前方を覆う第２カバー部と、を設けて、
前記第１の遊技状態では、前記第１カバー部越しに前記保留ランプを視認可能にする一方、前記第２の遊技状態では、前記第２カバー部越しに前記保留ランプを視認可能にしたことを特徴とする請求項２又は３に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技領域を流下する遊技球が入賞可能な第１入賞領域及び第２入賞領域と、第１入賞領域又は第２入賞領域に遊技球が入賞したことに起因して当否判定を受けるための権利を発生させかつその当否判定権利に対応した乱数を取得する乱数取得手段と、当否判定権利の乱数を用いて当否判定を行う当否判定手段と、当否判定権利の発生に起因して当否判定の結果を報知する判定結果報知手段と、第１入賞領域又は第２入賞領域への遊技球の入賞を起因にして当否判定権利を記憶可能な保留記憶手段と、保留記憶手段に保留記憶されている当否判定権利の保留数を、保留ランプの点灯数により報知可能な保留数報知手段と、を備えた遊技機において、遊技状態を、第２入賞領域よりも第１入賞領域へ入賞し易い第１の遊技状態と、第１入賞領域よりも第２入賞領域へ入賞し易い第２の遊技状態とに切り替える遊技状態切替手段を有し、保留数報知手段は、第１入賞領域への入賞に起因する第１の保留数と、第２入賞領域への入賞に起因する第２の保留数とを共通の保留ランプで報知可能に構成され、保留数報知手段による保留ランプの点灯数を、第１の遊技状態では第１の保留数に一致させる一方、遊技状態切替手段によって第１の遊技状態から第２の遊技状態に遊技状態が切り替えられた場合に、第２の保留数に一致させるように切り替える報知切替手段を備え、第１の遊技状態において、第１入賞領域への入賞に起因した第１の当否判定権利と第２の入賞領域への入賞に起因した第２の当否判定権利とが保留記憶されている場合に、第１の保留数のうち第２の保留数と重複する数だけの保留数の報知態様を、第１の当否判定権利のみが保留記憶されているときの第１の保留数の報知態様とは異ならせると共に、第２の遊技状態において、第１の当否判定権利と第２の当否判定権利とが保留記憶されている場合に、第２の保留数のうち第１の保留数と重複する数だけの保留数の報知態様を、第２の当否判定権利のみが保留記憶されているときの第２の保留数の報知態様とは異ならせる重複報知手段が設けられたところに特徴を有する。
【手続補正３】
【補正対象書類名】明細書
【補正対象項目名】００１１
【補正方法】変更
【補正の内容】
【００１１】
［請求項１の発明］
請求項１の発明では、第１入賞領域への入賞に起因する第１の保留数と、第２入賞領域への入賞に起因する第２の保留数とを共通の保留ランプで報知し、報知切替手段によって、第２入賞領域よりも第１入賞領域へ入賞し易い第１の遊技状態では、保留ランプの点灯数を第１の保留数に一致させ、第１入賞領域よりも第２入賞領域へ入賞し易い第２の遊技状態では、保留ランプの点灯数を第２の保留数に一致させる。このように、本発明では、第１と第２の保留数を報知する保留ランプが共通になっていて、各遊技状態において、入賞し易い入賞領域への入賞に起因した当否判定権利の保留数を報知するので、第１入賞領域用の保留ランプと第２入賞領域用の保留ランプとを別々に備えた場合と比較して、各遊技状態で使用されない保留ランプの数を減らすことができ、保留ランプの有効利用が図られる。また、重複報知手段が設けられたことで、第１入賞領域及び第２入賞領域への入賞に起因する当否判定権利が存在することを遊技者に認識させることが可能となる。